(57)【要約】【課題】施設の業務に関する物品が提供される対象となる人に対応付けられていない物品が当該人に対応付けられた物品として誤って特定されてしまうことを抑制することができる情報処理装置を提供する。【解決手段】医療、介護、更正のうちの少なくとも１つを行う施設の業務に関する物品が提供される対象となる人の顔が撮像された第１撮像画像と、内容又は種類が互いに異なる複数の前記物品のうちの１つが対象物品として撮像された第２撮像画像とに基づいて、前記対象物品が前記人に対応付けられているか否かを示す情報を出力する、情報処理装置。【選択図】図１
2020086722.tif 000002
【特許請求の範囲】
【請求項１】
医療、介護、更正のうちの少なくとも１つを行う施設の業務に関する物品が提供される対象となる人の顔が撮像された第１撮像画像と、内容又は種類が互いに異なる複数の前記物品のうちの１つが対象物品として撮像された第２撮像画像とに基づいて、前記対象物品が前記人に対応付けられているか否かを示す情報を出力する、
情報処理装置。
【請求項２】
前記複数の前記物品のそれぞれには、個々を識別する物品識別情報を表す識別画像が貼付されており、
前記第２撮像画像には、前記複数の前記物品のうちユーザーにより選択された前記物品に貼付された前記識別画像が撮像されており、
前記施設を利用する１以上の利用者のそれぞれ毎に、利用者の顔を示す顔情報と、利用者を示す利用者識別情報とが対応付けられた第１対応情報と、前記１以上の利用者のそれぞれ毎に、利用者を示す前記利用者識別情報と、利用者に対応付けられた前記物品を示す前記物品識別情報とが対応付けられた第２対応情報とが記憶された第１記憶部と、
前記第１撮像画像に基づく顔認証によって前記人と一致する前記利用者に対応付けられた前記利用者識別情報を前記第１対応情報の中から特定する第１特定部と、
前記第２撮像画像に基づいて、前記第２撮像画像に撮像されている前記識別画像が表す前記物品識別情報に対応付けられた前記利用者識別情報を前記第２対応情報の中から特定する第２特定部と、
前記第１特定部により特定された前記利用者識別情報と、前記第２特定部により特定された前記利用者識別情報とに基づいて、前記第２撮像画像に撮像されている前記物品が前記第１撮像画像に撮像されている前記人に対応付けられているか否かを示す情報を出力する出力部と、
を備える請求項１に記載の情報処理装置。
【請求項３】
前記施設は、病院であり、
前記物品は、医薬品又は医薬品の入った容れ物であり、
前記利用者は、患者であり、
前記識別画像は、一次元コード又は二次元コードである、
請求項２に記載の情報処理装置。
【請求項４】
前記第１特定部により特定された前記利用者識別情報と、前記第２特定部により特定された前記利用者識別情報とが一致しているか否かを判定する判定部と、
前記出力部は、前記第１特定部により特定された前記利用者識別情報と、前記第２特定部により特定された前記利用者識別情報とが一致していると前記判定部が判定した場合、前記第２撮像画像に撮像されている前記物品が前記人に対応付けられていることを示す情報を出力し、前記第１特定部により特定された前記利用者識別情報と、前記第２特定部により特定された前記利用者識別情報とが一致していないと前記判定部が判定した場合、前記第２撮像画像に撮像されている前記物品が前記人に対応付けられていないことを示す情報を出力する、
請求項２又は３に記載の情報処理装置。
【請求項５】
第２記憶部と、
前記判定部による判定結果を示す情報を、前記判定部による判定が行われた時間を示す時間情報と対応付けた履歴情報として前記第２記憶部に記憶させる記憶制御部と、
を備える請求項４に記載の情報処理装置。
【請求項６】
画像を表示する表示部を備え、
前記出力部は、前記第２撮像画像に撮像されている前記物品が前記人に対応付けられているか否かを示す情報を前記表示部に出力し、当該情報を前記表示部に表示させる、
請求項２から５のうちいずれか一項に記載の情報処理装置。
【請求項７】
前記出力部は、前記第２撮像画像に撮像されている前記物品が前記人に対応付けられていることを示す情報を前記表示部に表示させる場合、前記第２撮像画像に撮像されている前記物品が前記人に提供されたことを示す情報が入力されるＵＩ（User  Interface）を前記表示部に表示させる、
請求項６に記載の情報処理装置。
【請求項８】
前記出力部は、前記第２撮像画像に撮像されている前記物品が前記人に対応付けられているか否かを示す情報を他の装置に出力する、
請求項２から７のうちいずれか一項に記載の情報処理装置。
【請求項９】
撮像部を備え、
前記第１撮像画像及び前記第２撮像画像は、前記撮像部により撮像された撮像画像である、
請求項１から８のうちいずれか一項に記載の情報処理装置。
【発明の詳細な説明】
【技術分野】
【０００１】
本発明は、情報処理装置に関する。
【背景技術】
【０００２】
病院や介護施設のように医療、介護、更正のうちの少なくとも１つを行う施設の業務を補助する技術についての研究、開発が行われている。
【０００３】
これに関し、医師が電子カルテに入力したカルテ情報から、医師が医療関係者に対して指示をするための指示情報に必要な医療情報を特定する情報処理装置において、特定する医療情報の種類毎にカルテ情報から医療情報を特定するための種類特定情報と、種類特定情報によって特定された特定医療情報を抽出するための抽出手段と、を備える情報処理装置が知られている（特許文献１参照）。
【先行技術文献】
【特許文献】
【０００４】
【特許文献１】特開２０１８−１６３４０６号公報
【発明の概要】
【発明が解決しようとする課題】
【０００５】
ここで、上記の施設では、当該施設の業務に関する物品の中から、当該施設の利用者に対応付けられた物品を特定しなければならない場合がある。しかしながら、当該施設では、当該利用者に対応付けられていない物品を当該利用者に対応付けられた物品として誤って特定してしまうことがある。例えば、当該利用者の認知症等によって当該利用者の本人確認を行うことが困難な場合、当該利用者に対応付けられていない物品が当該利用者に対応付けられた物品として誤って特定されてしまうことがある。その結果、当該施設では、当該利用者に対応付けられていない物品が当該利用者に対して用いられてしまうことがあった。
【０００６】
本発明は、このような事情を考慮してなされたもので、施設の業務に関する物品が提供される対象となる人に対応付けられていない物品が当該人に対応付けられた物品として誤って特定されてしまうことを抑制することができる情報処理装置を提供することを課題とする。
【課題を解決するための手段】
【０００７】
本発明の一態様は、医療、介護、更正のうちの少なくとも１つを行う施設の業務に関する物品が提供される対象となる人の顔が撮像された第１撮像画像と、内容又は種類が互いに異なる複数の前記物品のうちの１つが対象物品として撮像された第２撮像画像とに基づいて、前記対象物品が前記人に対応付けられているか否かを示す情報を出力する、情報処理装置である。
【０００８】
また、本発明の一態様は、前記複数の前記物品のそれぞれには、個々を識別する物品識別情報を表す識別画像が貼付されており、前記第２撮像画像には、前記複数の前記物品のうちユーザーにより選択された前記物品に貼付された前記識別画像が撮像されており、前記施設を利用する１以上の利用者のそれぞれ毎に、利用者の顔を示す顔情報と、利用者を示す利用者識別情報とが対応付けられた第１対応情報と、前記１以上の利用者のそれぞれ毎に、利用者を示す前記利用者識別情報と、利用者に対応付けられた前記物品を示す前記物品識別情報とが対応付けられた第２対応情報とが記憶された第１記憶部と、前記第１撮像画像に基づく顔認証によって前記人と一致する前記利用者に対応付けられた前記利用者識別情報を前記第１対応情報の中から特定する第１特定部と、前記第２撮像画像に基づいて、前記第２撮像画像に撮像されている前記識別画像が表す前記物品識別情報に対応付けられた前記利用者識別情報を前記第２対応情報の中から特定する第２特定部と、前記第１特定部により特定された前記利用者識別情報と、前記第２特定部により特定された前記利用者識別情報とに基づいて、前記第２撮像画像に撮像されている前記物品が前記第１撮像画像に撮像されている前記人に対応付けられているか否かを示す情報を出力する出力部と、を備える、構成が用いられてもよい。
【０００９】
また、本発明の一態様は、情報処理装置において、前記施設は、病院であり、前記物品は、医薬品又は医薬品の入った容れ物であり、前記利用者は、患者であり、前記識別画像は、一次元コード又は二次元コードである、構成が用いられてもよい。
【００１０】
また、本発明の一態様は、情報処理装置において、前記第１特定部により特定された前記利用者識別情報と、前記第２特定部により特定された前記利用者識別情報とが一致しているか否かを判定する判定部と、前記出力部は、前記第１特定部により特定された前記利用者識別情報と、前記第２特定部により特定された前記利用者識別情報とが一致していると前記判定部が判定した場合、前記第２撮像画像に撮像されている前記物品が前記人に対応付けられていることを示す情報を出力し、前記第１特定部により特定された前記利用者識別情報と、前記第２特定部により特定された前記利用者識別情報とが一致していないと前記判定部が判定した場合、前記第２撮像画像に撮像されている前記物品が前記人に対応付けられていないことを示す情報を出力する、構成が用いられてもよい。
【００１１】
また、本発明の一態様は、情報処理装置において、第２記憶部と、前記判定部による判定結果を示す情報を、前記判定部による判定が行われた時間を示す時間情報と対応付けた履歴情報として前記第２記憶部に記憶させる記憶制御部と、を備える、構成が用いられてもよい。
【００１２】
また、本発明の一態様は、情報処理装置において、画像を表示する表示部を備え、前記出力部は、前記第２撮像画像に撮像されている前記物品が前記人に対応付けられているか否かを示す情報を前記表示部に出力し、当該情報を前記表示部に表示させる、構成が用いられてもよい。
【００１３】
また、本発明の一態様は、情報処理装置において、前記出力部は、前記第２撮像画像に撮像されている前記物品が前記人に対応付けられていることを示す情報を前記表示部に表示させる場合、前記第２撮像画像に撮像されている前記物品が前記人に提供されたことを示す情報が入力されるＵＩ（User  Interface）を前記表示部に表示させる、構成が用いられてもよい。
【００１４】
また、本発明の一態様は、情報処理装置において、前記出力部は、前記第２撮像画像に撮像されている前記物品が前記人に対応付けられているか否かを示す情報を他の装置に出力する、構成が用いられてもよい。
【００１５】
また、本発明の一態様は、情報処理装置において、撮像部を備え、前記第１撮像画像及び前記第２撮像画像は、前記撮像部により撮像された撮像画像である、構成が用いられてもよい。
【発明の効果】
【００１６】
本発明によれば、施設の業務に関する物品が提供される対象となる人に対応付けられていない物品が当該人に対応付けられた物品として誤って特定されてしまうことを抑制することができる。
【図面の簡単な説明】
【００１７】
【図１】実施形態に係る情報処理システム１の構成の一例を示す図である。
【図２】情報処理装置２０が行う処理の流れの一例を示す図である。
【発明を実施するための形態】
【００１８】
＜実施形態＞
以下、本発明の実施形態について、図面を参照して説明する。
【００１９】
＜情報処理システムの概要＞
まず、実施形態に係る情報処理システムの概要について説明する。
【００２０】
情報処理システムは、医療、介護、更正のうちの少なくとも１つを行う施設の業務に関する物品が提供される対象となる人の顔が撮像された第１撮像画像と、内容又は種類が互いに異なる複数の前記物品のうちの１つが対象物品として撮像された第２撮像画像とに基づいて、対象物品が当該人に対応付けられているか否かを示す情報を出力する。これにより、情報処理システムは、施設の業務に関する物品が提供される対象となる人に対応付けられていない物品が当該人に対応付けられた物品として誤って特定されてしまうことを抑制することができる。
【００２１】
以下では、このような情報処理システムの構成と、情報処理システムが行う処理とについて詳しく説明する。
【００２２】
＜情報処理システムの構成＞
以下、図１を参照し、実施形態に係る情報処理システム１の構成について説明する。図１は、実施形態に係る情報処理システム１の構成の一例を示す図である。
【００２３】
ここで、情報処理システム１は、図１に示したように、携帯端末１０と、情報処理装置２０を備える。図１に示した例では、携帯端末１０と情報処理装置２０は、別体である。なお、情報処理システム１では、携帯端末１０と情報処理装置２０は、一体に構成されてもよい。
【００２４】
情報処理システム１では、医療、介護、更正のうちの少なくとも１つを行う施設の業務に関する物品が提供される対象となる人の顔が、携帯端末１０により撮像される。そして、情報処理システム１では、情報処理装置２０は、携帯端末１０により当該人の顔が撮像された撮像画像を第１撮像画像として取得する。以下では、説明の便宜上、当該施設の業務に関する物品のことを、単に物品と称して説明する。また、以下では、説明の便宜上、当該人のことを対象者と称して説明する。また、以下では、説明の便宜上、当該施設のことを、単に施設と称して説明する。ここで、施設は、例えば、病院、介護施設、更正施設等であるが、これらに限られるわけではない。
【００２５】
例えば、施設が病院である場合、施設の業務に関する物品は、医薬品、カルテ、看護記録、伝票等であるが、これらに限られるわけではない。また、当該場合、対象者は、病院に入院している患者、病院に通院している患者等（すなわち、病院を利用している利用者等）であるが、これらに限られるわけではない。また、当該場合、携帯端末１０を操作するユーザーは、看護師、医師、各種の療法士、医療事務員等であるが、これらに限られるわけではない。
【００２６】
また、例えば、施設が介護施設である場合、当該施設の業務に関する物品は、介護に用いる各種の道具、介護記録、伝票等であるが、これらに限られるわけではない。また、当該場合、対象者は、介護施設を利用している利用者等であるが、これに限られるわけではない。また、当該場合、携帯端末１０を操作するユーザーは、介護士、介護施設の事務員等であるが、これらに限られるわけではない。
【００２７】
また、例えば、施設が更正施設である場合、当該施設の業務に関する物品は、更正に用いる各種の道具、更正記録、伝票等であるが、これらに限られるわけではない。また、当該場合、対象者は、更正施設を利用している利用者等であるが、これに限られるわけではない。また、当該場合、携帯端末１０を操作するユーザーは、更正施設の職員等であるが、これらに限られるわけではない。
【００２８】
また、情報処理システム１では、内容又は種類が互いに異なる複数の物品のうちの１つが携帯端末１０により対象物品として撮像される。そして、情報処理システム１では、情報処理装置２０は、携帯端末１０により対象物品が撮像された撮像画像を第２撮像画像として取得する。
【００２９】
ここで、内容が互いに異なる複数の物品は、例えば、病院内において作成されるカルテ、伝票等のことである。また、種類が互いに異なる複数の物品は、例えば、医薬品等のことである。
【００３０】
また、内容又は種類が互いに異なる複数の物品のそれぞれには、個々を識別する物品識別情報を表す識別画像が貼付されている。ある物品の物品識別情報は、当該物品を示す情報であり、例えば、当該物品を示す識別ＩＤである。なお、当該物品の物品識別情報は、当該物品を示すことが可能な他の情報であってもよい。識別画像は、例えば、一次元コード又は二次元コードのことである。一次元コードは、例えば、バーコード、カラーコード等のことである。二次元コードは、例えば、ＱＲコード（登録商標）等のことである。また、識別画像は、物品そのものに貼付されていてもよく、物品の入った容れ物に貼付されていてもよい。すなわち、実施形態では、物品に貼付された識別画像は、物品そのものに貼付された識別画像、又は、物品の入った容れ物に貼付された識別画像のことを意味する。
【００３１】
すなわち、対象物品が撮像されている第２撮像画像は、より具体的には、対象物品に貼付されている識別画像が撮像されている画像のことである。
【００３２】
そして、情報処理システム１では、情報処理装置２０が、携帯端末１０から取得した第１撮像画像と、携帯端末１０から取得した第２撮像画像とに基づいて、対象物品が対象者に対応付けられているか否かを示す情報を出力する。
【００３３】
より具体的には、情報処理システム１では、情報処理装置２０が、携帯端末１０から取得した第１撮像画像と、携帯端末１０から取得した第２撮像画像と、第１対応情報と、第２対応情報とに基づいて、対象物品が対象者に対応付けられているか否かを示す情報を出力する。
【００３４】
ここで、第１対応情報は、施設を利用する１以上の利用者のそれぞれ毎に、利用者の顔を示す顔情報と、利用者を示す利用者識別情報とが対応付けられた情報のことである。利用者の顔を示す顔情報は、例えば、利用者の顔が撮像された撮像画像である。なお、利用者の顔を示す顔情報は、利用者の顔を示すＣＧ等のように、利用者の顔を示すことが可能な他の情報であってもよい。利用者を示す第１識別情報は、例えば、利用者を示す識別ＩＤであるが、利用者を示すことが可能な他の情報であってもよい。
【００３５】
また、第２対応情報は、施設を利用する１以上の利用者のそれぞれ毎に、利用者を示す利用者識別情報と、利用者に対応付けられた物品を示す物品識別情報とが対応付けられた情報のことである。物品を示す物品識別情報は、例えば、物品を示す識別ＩＤであるが、物品を示すことが可能な他の情報であってもよい。
【００３６】
情報処理装置２０は、取得した第１撮像画像に基づく顔認証によって対象者と一致する利用者に対応付けられた利用者識別情報を第１対応情報の中から特定する。また、情報処理装置２０は、取得した第２撮像画像に基づいて、第２撮像画像に撮像されている識別画像が表す物品識別情報に対応付けられた利用者識別情報を第２対応情報の中から特定する。情報処理装置２０は、第１対応情報の中から特定した利用者識別情報と、第２対応情報の中から特定した利用者識別情報とに基づいて、第２撮像画像に撮像されている対象物品が第１撮像画像に撮像されている対象者に対応付けられているか否かを示す情報を出力する。これにより、情報処理システム１は、対象者に対応付けられていない物品が対象者に対応付けられた物品として誤って特定されてしまうことを抑制することができる。すなわち、例えば、情報処理システム１は、対象者に投与される予定ではない医薬品が対象者に投与される医薬品として誤って特定されてしまうことを抑制することができる。
【００３７】
ここで、携帯端末１０は、例えば、多機能携帯電話端末（スマートフォン）、携帯電話端末、タブレットＰＣ（Personal  Computer）、ノートＰＣ等の情報処理装置であるが、これらに限られるわけではない。携帯端末１０は、移動体通信網、無線ＬＡＮ（Local  Area  Network）等による無線通信によって情報処理装置２０と通信可能に接続されている。なお、携帯端末１０は、ケーブルを介した有線通信によって情報処理装置２０と通信可能に接続される構成であってもよい。
【００３８】
携帯端末１０は、撮像部１１と、表示部１２を備える。
【００３９】
撮像部１１は、例えば、ＣＣＤ（Charge  Coupled  Device）、ＣＭＯＳ（Complementary  Metal  Oxide  Semiconductor）等を、集光された光を電気信号に変換する撮像素子として備えたカメラである。撮像部１１は、静止画像又は動画像を撮像する。以下では、一例として、撮像部１１が静止画像を撮像する場合について説明する。なお、撮像部１１が動画像を撮像する場合、情報処理システム１では、以下において説明する撮像画像に代えて、動画像の各フレームのいずれかに基づく処理が行われる。
【００４０】
表示部１２は、液晶ディスプレイパネル、有機ＥＬ（ElectroLuminescence）ディスプレイパネル等を備えた表示装置である。なお、表示部１２は、入力装置としてのタッチパッドと一体に構成されたタッチパネルであってもよい。
【００４１】
情報処理装置２０は、例えば、ワークステーション、デスクトップＰＣ、サーバー等の情報処理装置であるが、これらに限られるわけではない。
【００４２】
また、情報処理装置２０は、例えば、記憶部２２と、通信部２３と、制御部２４を備える。情報処理装置２０は、通信部２３を介して携帯端末１０と通信を行う。なお、当該通信は、サーバー等の他の装置によって中継される構成であってもよい。
【００４３】
記憶部２２は、例えば、ＨＤＤ（Hard  Disk  Drive）、ＳＳＤ（Solid  State  Drive）、ＥＥＰＲＯＭ（Electrically  Erasable  Programmable  Read−Only  Memory）、ＲＯＭ（Read−Only  Memory）、ＲＡＭ（Random  Access  Memory）等を含む。なお、記憶部２２は、情報処理装置２０に内蔵されるものに代えて、ＵＳＢ（Universal  Serial  Bus）等のデジタル入出力ポート等によって接続された外付け型の記憶装置であってもよい。記憶部２２は、情報処理装置２０が備える図示しないプロセッサーが処理する各種の情報、コンピューターにより実行可能な各種の指令、各種の画像等を格納する。なお、当該プロセッサーは、ＣＰＵ（Central  Processing  Unit）であるが、ＦＰＧＡ（Field  Programmable  Gate  Array）等の他のプロセッサーであってもよい。情報処理装置２０が備えるプロセッサーは、情報処理装置２０が備える記憶部２２に格納された各種の指令を実行する。
【００４４】
また、記憶部２２は、第１記憶部２２１と、第２記憶部２２２を有する。
【００４５】
第１記憶部２２１は、記憶部２２が有する記憶領域の一部である。第１記憶部２２１には、前述の第１対応情報及び第２対応情報が記憶されている。
【００４６】
第２記憶部２２２は、後述する履歴情報が記憶される。
【００４７】
通信部２３は、例えば、ＵＳＢ等のデジタル入出力ポート、イーサネット（登録商標）ポート等を含んで構成される。
【００４８】
なお、情報処理装置２０は、キーボード、マウス、タッチパッド等の入力装置を備える構成であってもよい。また、情報処理装置２０は、液晶ディスプレイパネル、有機ＥＬ（ElectroLuminescence）ディスプレイパネル等を備えた表示装置を備える構成であってもよい。
【００４９】
制御部２４は、情報処理装置２０の全体を制御する。制御部２４は、画像取得部２４１と、第１特定部２４２と、第２特定部２４３と、判定部２４４と、出力部２４５と、記憶制御部２４６を備える。制御部２４が備えるこれらの機能部は、例えば、情報処理装置２０が備える図示しないプロセッサーが、記憶部２２に記憶された各種の指令を実行することにより実現される。また、これらの機能部のうち一部又は全部は、ＬＳＩ（Large  Scale  Integration）やＡＳＩＣ（Application  Specific  Integrated  Circuit）等のハードウェア機能部であってもよい。
【００５０】
画像取得部２４１は、携帯端末１０の撮像部１１が撮像した撮像画像を携帯端末１０から取得する。より具体的には、画像取得部２４１は、例えば、撮像部１１により対象者の顔が撮像された撮像画像を第１撮像画像として携帯端末１０から取得する。また、画像取得部２４１は、例えば、撮像部１１により対象物品が撮像された撮像画像を第２撮像画像として携帯端末１０から取得する。
【００５１】
第１特定部２４２は、画像取得部２４１により取得された第１撮像画像に基づく顔認証によって、第１撮像画像に撮像されている対象者と一致する利用者に対応付けられた利用者識別情報を第１対応情報の中から特定する。
【００５２】
第２特定部２４３は、画像取得部２４１により取得された第２撮像画像に基づいて、第２撮像画像に撮像されている識別画像が表す物品識別情報に対応付けられた利用者識別情報を第２対応情報の中から特定する。
【００５３】
判定部２４４は、第１特定部２４２により特定された利用者識別情報と、第２特定部２４３により特定された利用者識別情報とが一致しているか否かを判定する。
【００５４】
出力部２４５は、第１特定部２４２により特定された利用者識別情報と、第２特定部２４３により特定された利用者識別情報とが一致していると判定部２４４が判定した場合、対象物品が、対象者に対応付けられていることを示す情報を出力し、第１特定部２４２により特定された利用者識別情報と、第２特定部２４３により特定された利用者識別情報とが一致していないと判定部２４４が判定した場合、対象物品が対象者に対応付けられていないことを示す情報を出力する。
【００５５】
記憶制御部２４６は、判定部２４４による判定結果を示す情報を、判定部２４４による判定が行われた時間を示す時間情報と対応付けた履歴情報として第２記憶部２２２に記憶させる。
【００５６】
＜情報処理装置が行う処理＞
以下、図２を参照し、情報処理装置２０が行う処理について説明する。図２は、情報処理装置２０が行う処理の流れの一例を示す図である。
【００５７】
第１特定部２４２は、画像取得部２４１が第１撮像画像を携帯端末１０から取得するまで待機する（ステップＳ１１０）。ここで、例えば、携帯端末１０は、専用のアプリケーションプログラムがインストールされており、携帯端末１０のユーザーが対象者を撮像部１１によって撮像した場合、撮像部１１が撮像した撮像画像を、当該撮像画像が第１撮像画像であることを示す情報とともに情報処理装置２０へ出力する。この場合、画像取得部２４１は、当該情報とともに撮像画像を携帯端末１０から取得した場合、当該撮像画像を第１撮像画像として取得する。これにより、第１特定部２４２は、画像取得部２４１が第１撮像画像を取得したか否かを判定する。
【００５８】
第１特定部２４２は、画像取得部２４１が第１撮像画像を携帯端末１０から取得したと判定した場合（ステップＳ１１０−ＹＥＳ）、第１特定処理を行う（ステップＳ１２０）。ここで、第１特定部２４２は、ステップＳ１２０において、第１撮像画像に基づく顔認証によって対象者と一致する利用者に対応付けられた利用者識別情報を第１対応情報の中から特定する処理を、第１特定処理として行う。
【００５９】
次に、第２特定部２４３は、画像取得部２４１が第２撮像画像を携帯端末１０から取得するまで待機する（ステップＳ１３０）。ここで、例えば、携帯端末１０は、専用のアプリケーションプログラムがインストールされており、携帯端末１０のユーザーが対象物品を撮像部１１によって撮像した場合、撮像部１１が撮像した撮像画像を、当該撮像画像が第２撮像画像であることを示す情報とともに情報処理装置２０へ出力する。この場合、画像取得部２４１は、当該情報とともに撮像画像を携帯端末１０から取得した場合、当該撮像画像を第２撮像画像として取得する。これにより、第２特定部２４３は、画像取得部２４１が第２撮像画像を取得したか否かを判定する。
【００６０】
第２特定部２４３は、画像取得部２４１が第２撮像画像を携帯端末１０から取得したと判定した場合（ステップＳ１３０−ＹＥＳ）、第２特定処理を行う（ステップＳ１４０）。ここで、第２特定部２４３は、ステップＳ１４０において、第２撮像画像に撮像されている識別画像に基づいて、当該識別画像から当該識別画像が表す物品識別情報を読み出す。そして、第２特定部２４３は、読み出した物品識別情報に対応付けられた利用者識別情報を第２対応情報の中から特定する。第２特定部２４３は、このような処理を第２特定処理として行う。
【００６１】
次に、判定部２４４は、第１特定部２４２により特定された利用者識別情報と、第２特定部２４３により特定された利用者識別情報とが一致しているか否かを判定する（ステップＳ１５０）。
【００６２】
次に、出力部２４５は、ステップＳ１５０において判定部２４４により行われた判定の判定結果を示す情報を出力する（ステップＳ１６０）。ここで、出力部２４５は、第１特定部２４２により特定された利用者識別情報と、第２特定部２４３により特定された利用者識別情報とが一致していると判定部２４４がステップＳ１５０において判定した場合、対象物品が対象者に対応付けられていることを示す情報を出力する。
【００６３】
より具体的には、出力部２４５は、当該場合、当該情報を携帯端末１０に出力し、当該情報を携帯端末１０の表示部１２に表示させる。この際、出力部２４５は、当該場合、対象物品が対象者に提供されたことを示す情報が入力されるＵＩ（User  Interface）を表示部１２に表示させる構成であってもよい。これにより、情報処理システム１では、対象物品が対象者に提供されたことを記録することができ、対象物品の対象者への提供忘れ、対象物品の対象者への過剰な提供等が生じてしまうことを抑制することができる。また、当該場合、記憶制御部２４６は、当該情報を、判定部２４４による判定が行われた時間を示す時間情報と対応付けた履歴情報として第２記憶部２２２に記憶させる。これにより、情報処理システム１では、情報処理システム１による判定の履歴を記録することができる。また、出力部２４５は、当該場合、当該情報を他の装置に出力する構成であってもよい。また、出力部２４５は、当該場合、且つ、情報処理装置２０が表示装置を備える場合、当該表示装置に当該情報を表示させる構成であってもよい。
【００６４】
一方、出力部２４５は、第１特定部２４２により特定された利用者識別情報と、第２特定部２４３により特定された利用者識別情報とが一致していないと判定部２４４がステップＳ１５０において判定した場合、対象物品が対象者に対応付けられていないことを示す情報を出力する。この際、出力部２４５は、当該場合、対象物品が対象者に対応付けられていないことを警告する警告情報を表示部１２に表示させる構成であってもよい。また、出力部２４５は、当該場合、対象物品が対象者に対応付けられていないことを警告する音を携帯端末１０に出力させる構成であってもよい。これにより、情報処理システム１は、対象者に対応付けられていない物品が対象者に対応付けられた物品として誤って特定されてしまうことを抑制することができる。また、当該場合、記憶制御部２４６は、当該情報を、判定部２４４による判定が行われた時間を示す時間情報と対応付けた履歴情報として第２記憶部２２２に記憶させる。これにより、情報処理システム１では、情報処理システム１による判定の履歴を記録することができる。また、出力部２４５は、当該場合、当該情報を他の装置に出力する構成であってもよい。また、出力部２４５は、当該場合、且つ、情報処理装置２０が表示装置を備える場合、当該表示装置に当該情報を表示させる構成であってもよい。
【００６５】
ステップＳ１６０の処理が行われた後、情報処理装置２０は、処理を終了する。
【００６６】
以上のように、実施形態に係る情報処理システム（上記において説明した例では、情報処理システム１）の情報処理装置（上記において説明した例では、情報処理装置２０）は、医療、介護、更正のうちの少なくとも１つを行う施設（例えば、病院等）の業務に関する物品（例えば、医薬品等）が提供される対象となる人（上記において説明した例では、対象者）の顔が撮像された第１撮像画像と、内容又は種類が互いに異なる複数の当該物品のうちの１つが対象物品として撮像された第２撮像画像とに基づいて、対象物品が当該人に対応付けられているか否かを示す情報を出力する。これにより、情報処理システム又は情報処理装置は、施設の業務に関する物品が提供される対象となる人に対応付けられていない物品が当該人に対応付けられた物品として誤って特定されてしまうことを抑制することができる。
【００６７】
また、情報処理システムの情報処理装置は、複数の物品のそれぞれには、個々を識別する物品識別情報を表す識別画像（例えば、ＱＲコード等）が貼付されており、第２撮像画像には、複数の物品のうちユーザーにより選択された物品に貼付された識別画像が撮像されており、施設を利用する１以上の利用者のそれぞれ毎に、利用者の顔を示す顔情報と、利用者を示す利用者識別情報とが対応付けられた第１対応情報と、１以上の利用者のそれぞれ毎に、利用者を示す利用者識別情報と、利用者に対応付けられた物品を示す物品識別情報とが対応付けられた第２対応情報とが記憶された第１記憶部（上記において説明した例では、第１記憶部２２１）と、第１撮像画像に基づく顔認証によって人と一致する利用者に対応付けられた利用者識別情報を第１対応情報の中から特定する第１特定部（上記において説明した例では、第１特定部２４２）と、第２撮像画像に基づいて、第２撮像画像に撮像されている識別画像が表す物品識別情報に対応付けられた利用者識別情報を第２対応情報の中から特定する第２特定部（上記において説明した例では、第２特定部２４３）と、第１特定部により特定された利用者識別情報と、第２特定部により特定された利用者識別情報とに基づいて、第２撮像画像に撮像されている物品が第１撮像画像に撮像されている人に対応付けられているか否かを示す情報を出力する出力部（上記において説明した例では、出力部２４５）と、を備える、構成が用いられてもよい。
【００６８】
また、情報処理システムの情報処理装置では、施設は、病院であり、物品は、医薬品又は医薬品の入った容れ物であり、利用者は、患者であり、識別画像は、一次元コード又は二次元コードである、構成が用いられてもよい。
【００６９】
また、情報処理システムの情報処理装置では、第１特定部により特定された利用者識別情報と、第２特定部により特定された利用者識別情報とが一致しているか否かを判定する判定部（上記において説明した例では、判定部２４４）と、出力部は、第１特定部により特定された利用者識別情報と、第２特定部により特定された利用者識別情報とが一致していると判定部が判定した場合、第２撮像画像に撮像されている物品が当該人に対応付けられていることを示す情報を出力し、第１特定部により特定された利用者識別情報と、第２特定部により特定された利用者識別情報とが一致していないと判定部が判定した場合、第２撮像画像に撮像されている物品が当該人に対応付けられていないことを示す情報を出力する、構成が用いられてもよい。
【００７０】
また、情報処理システムの情報処理装置は、第２記憶部（上記において説明した例では、第２記憶部２２２）と、判定部による判定結果を示す情報を、判定部による判定が行われた時間を示す時間情報と対応付けた履歴情報として第２記憶部に記憶させる記憶制御部（上記において説明した例では、記憶制御部２４６）と、を備える、構成が用いられてもよい。
【００７１】
また、情報処理システムの情報処理装置は、画像を表示する表示部（上記において説明した例では、情報処理装置２０が携帯端末１０と一体である場合における表示部１２又は情報処理装置２０が備える表示装置）を備え、出力部は、第２撮像画像に撮像されている物品が当該人に対応付けられているか否かを示す情報を表示部に出力し、当該情報を表示部に表示させる、構成が用いられてもよい。
【００７２】
また、情報処理システムの情報処理装置では、出力部は、第２撮像画像に撮像されている物品が当該人に対応付けられていることを示す情報を表示部に表示させる場合、第２撮像画像に撮像されている物品が当該人に提供されたことを示す情報が入力されるＵＩを表示部に表示させる、構成が用いられてもよい。
【００７３】
また、情報処理システムの情報処理装置では、出力部は、第２撮像画像に撮像されている物品が当該人に対応付けられているか否かを示す情報を他の装置（上記において説明した例では、情報処理装置２０が携帯端末１０と別体である場合における携帯端末１０又は他の装置）に出力する、構成が用いられてもよい。
【００７４】
また、情報処理システムの情報処理装置では、撮像部（上記において説明した例では、情報処理装置２０が携帯端末１０と一体である場合における撮像部１１）を備え、第１撮像画像及び第２撮像画像は、撮像部により撮像された撮像画像である、構成が用いられてもよい。
【００７５】
以上、この発明の実施形態を、図面を参照して詳述してきたが、具体的な構成はこの実施形態に限られるものではなく、この発明の要旨を逸脱しない限り、変更、置換、削除等されてもよい。
【００７６】
また、以上に説明した装置における任意の構成部の機能を実現するためのプログラムを、コンピューター読み取り可能な記録媒体に記録し、そのプログラムをコンピューターシステムに読み込ませて実行するようにしてもよい。ここで、当該装置は、例えば、携帯端末１０、情報処理装置２０等である。なお、ここでいう「コンピューターシステム」とは、ＯＳ（Operating  System）や周辺機器等のハードウェアを含むものとする。また、「コンピューター読み取り可能な記録媒体」とは、フレキシブルディスク、光磁気ディスク、ＲＯＭ、ＣＤ（Compact  Disk）−ＲＯＭ等の可搬媒体、コンピューターシステムに内蔵されるハードディスク等の記憶装置のことをいう。さらに「コンピューター読み取り可能な記録媒体」とは、インターネット等のネットワークや電話回線等の通信回線を介してプログラムが送信された場合のサーバーやクライアントとなるコンピューターシステム内部の揮発性メモリーのように、一定時間プログラムを保持しているものも含むものとする。
【００７７】
また、上記のプログラムは、このプログラムを記憶装置等に格納したコンピューターシステムから、伝送媒体を介して、あるいは、伝送媒体中の伝送波により他のコンピューターシステムに伝送されてもよい。ここで、プログラムを伝送する「伝送媒体」は、インターネット等のネットワークや電話回線等の通信回線のように情報を伝送する機能を有する媒体のことをいう。
また、上記のプログラムは、前述した機能の一部を実現するためのものであってもよい。さらに、上記のプログラムは、前述した機能をコンピューターシステムにすでに記録されているプログラムとの組み合わせで実現できるもの、いわゆる差分ファイル又は差分プログラムであってもよい。
【符号の説明】
【００７８】
１…情報処理システム、１０…携帯端末、１１…撮像部、１２…表示部、２０…情報処理装置、２２…記憶部、２３…通信部、２４…制御部、２２１…第１記憶部、２２２…第２記憶部、２４１…画像取得部、２４２…第１特定部、２４３…第２特定部、２４４…判定部、２４５…出力部、２４６…記憶制御部
【図１】
2020086722.tif 000003
【図２】
2020086722.tif 000004